(57)【要約】【課題】防水異常個所が発生したときに異常個所を小範囲内に特定することができ、これにより、防水層の剥離等の処置を最小限にとどめることのできる屋上防水構造を提供する。【解決手段】防水層３の第１および第２の防水シート４と６を中間層５の継ぎ部７においてシート片８を介して接続することにより複数のゾーンａ、ｂ、ｃ・・・を水密的に区画形成し、さらに、内部を第１の防水シート４と中間層５の間に連通させた筒状体１を、躯体２の非浸透性の凹部１１より防水層３を貫通させた状態でゾーンａ、ｂ、ｃ・・・の各傾斜下端部に設置する。【選択図】図１
2004027598.tif 000002
【特許請求の範囲】
【請求項１】
所定の傾斜角度と所定の面積を有する屋上の躯体上に、第１の防水シート、中間層および第２の防水シートの積層体より構成される防水層を敷設した屋上防水構造において、
前記第１および第２の防水シートは、前記中間層の有する継ぎ部において前記所定の面積を複数のゾーンに水密的に区画するように互いに接続され、
区画された前記複数のゾーンは、前記躯体表面に設けられた非浸透性の凹部より前記防水層を貫通して設置され、かつ、内部を前記第１の防水シートと前記中間層の間に連通させるとともに上端からの雨水侵入を防いだ構成の筒状体をそれぞれの傾斜下端部に有することを特徴とする屋上防水構造。
【請求項２】
前記第１および第２の防水シートは、熱可塑性樹脂より構成され、かつ、前記中間層の有する継ぎ部に介装させられたシート片にそれぞれ融着されることによって水密的に互いに接続されていることを特徴とする請求項１項記載の屋上防水構造。
【請求項３】
前記防水層は、その上部に植物を植えるための盛り土を有し、前記筒状体は、前記盛り土内を貫通して設けられていることを特徴とする請求項１項記載の屋上防水構造。
【請求項４】
所定の傾斜角度と所定の面積を有する屋上の躯体上に、第１の防水シート、中間層および第２の防水シートの積層体より構成される防水層を敷設した屋上防水構造において、
前記第１および第２の防水シートは、前記中間層の有する継ぎ部において前記所定の面積を複数のゾーンに水密的に区画するように互いに接続され、
区画された前記複数のゾーンは、前記躯体を貫通して有底の下端部を前記躯体下の室内に露出させ、かつ、内部を前記第１の防水シートと前記中間層の間に連通させた少なくとも前記下端部が透明の筒状体をそれぞれの傾斜下端部に有することを特徴とする屋上防水構造。
【請求項５】
前記第１および第２の防水シートは、熱可塑性樹脂より構成され、かつ、前記中間層の有する継ぎ部に介装させられたシート片にそれぞれ融着されることによって水密的に互いに接続されていることを特徴とする請求項４項記載の屋上防水構造。
【請求項６】
前記防水層は、その上部に植物を植えるための盛り土を有することを特徴とする請求項４項記載の屋上防水構造。
【発明の詳細な説明】
【０００１】
【発明の属する技術分野】
本発明は、屋上防水構造に関し、特に、防水異常個所が発生したときに異常個所を小範囲内に特定することができ、これにより、防水層の剥離等の処置を最小限にとどめることのできる屋上防水構造に関する。
【０００２】
【従来の技術】
過密な都市に建てられる建築物においては、夏期のヒートアイランド現象に対処するため、草花や樹木等を植える屋上緑化が行われており、一部の都市においては、条令によってこのことが義務づけられている。
【０００３】
図３は、緑化型屋上構造の一般的な構成を示したもので、１０１は屋上の躯体、１０２は躯体１０１上に敷設された防水層、１０３は防水層１０２上に設けられ盛り土を示し、種々の観賞用の草花や樹木あるいは野菜等の植物１０４が植えられる。
【０００４】
この構成において、防水層１０２は、３層の積層体より構成されるのが通例であり、躯体１０１の直上に敷設される第１の防水シート１０５と、この上に敷設される緩衝層としての中間層１０６と、最上部の第２の防水シート１０７より構成され、その躯体１０１に対する固定は、盛り土１０３の重量によるのが普通である。
【０００５】
以上の構成を有する屋上緑化型の防水構造は、断熱効果が特に大きく、従って、当然、冷暖房のためのエネルギーの節約効果にも優れることから、今後、広く普及することは明らかである。
【０００６】
一方、緑化を伴わない屋上防水構造として、図３の構成から盛り土１０３を除いた断熱防水が知られている。中間層１０６として厚手の発泡プラスティックスを使用し、これによる断熱効果のみを求めたもので、アンカーの打ち込み等による簡易方法で防水層１０２を固定できることもあって、前述の緑化構造以上に普及するであろうことは明らかである。
【０００７】
【発明が解決しようとする課題】
しかし、従来のこれらの屋上防水構造によると、前者の場合、盛り土１０３への植樹の際にスコップ等によって防水層１０２を傷付けることがあり、このため、傷を通して侵入した雨水が躯体１０１を浸透して雨漏りとなることがあり、一方、後者の場合にも、屋上での重量物工事等の際に防水層１０２を傷付け、同様に雨漏りを発生させることがある。
【０００８】
雨漏りが発生したときの対処策としては、まず、防水層１０２の異常個所の特定が必要となるが、特定は事実上不可能であり、従って、現実の対処策としては、防水層２を剥離せざるを得ず、このためには、多大な経済的負担を要することとなる。また、この負担は、防水面積に比例して拡大することとなり、さらに、屋上緑化型防水構造にあっては、盛り土１０３と植物１０４の除去費用がこれに加算されるため、負担は、より拡大することとなる。
【０００９】
従って、本発明の目的は、防水異常個所が発生したときに異常個所を小範囲内に特定することができ、これにより、防水層の剥離等の処置を最小限にとどめることのできる屋上防水構造を提供することにある。
【００１０】
【課題を解決するための手段】
本発明は、上記の目的を達成するため、所定の傾斜角度と所定の面積を有する屋上の躯体上に、第１の防水シート、中間層および第２の防水シートの積層体より構成される防水層を敷設した屋上防水構造において、
前記第１および第２の防水シートは、前記中間層の有する継ぎ部において前記所定の面積を複数のゾーンに水密的に区画するように互いに接続され、
区画された前記複数のゾーンは、前記躯体表面に設けられた非浸透性の凹部より前記防水層を貫通して設置され、かつ、内部を前記第１の防水シートと前記中間層の間に連通させるとともに上端からの雨水浸入を防いだ構成の筒状体をそれぞれの傾斜下端部に有することを特徴とする屋上防水構造を提供するものである。
【００１１】
また、本発明は、上記の目的を達成するため、所定の傾斜角度と所定の面積を有する屋上の躯体上に、第１の防水シート、中間層および第２の防水シートの積層体より構成される防水層を敷設した屋上防水構造において、
前記第１および第２の防水シートは、前記中間層の有する継ぎ部において前記所定の面積を複数のゾーンに水密的に区画するように互いに接続され、
区画された前記複数のゾーンは、前記躯体を貫通して有底の下端部を前記躯体下の室内に露出させ、かつ、内部を前記第１の防水シートと前記中間層の間に連通させた少なくとも前記下端部が透明の筒状体をそれぞれの傾斜下端部に有することを特徴とする屋上防水構造を提供するものである。
【００１２】
本発明において、第１および第２の防水シートの構成材としては、ポリ塩化ビニルやポリエチレン等の熱可塑性樹脂、あるいは加硫ゴム等の使用が考えられるが、中間層の継ぎ部において確実な水密性下に両シート間を接続するには、熱あるいは溶剤による融着接続を行える熱可塑性樹脂製であることが好ましい。
【００１３】
接続の具体的手段としては、両シートを直接接続してもよいが、中間層の継ぎ部に同材質のシート片を改装し、これに、第１および第２の防水シートを融着する形式が実際的である。なお、第１および第２の防水シートとして加硫ゴムシートを使用し、これらを中間層の継ぎ部に介装させた加硫ゴムシート片に接着剤で接続することは可能である。
【００１４】
中間層の構成材としては、ポリエチレン、ポリ塩化ビニル、ポリスチレン等をベース材とした発泡プラスティックス、あるいは各種の繊維を材質とした不織布等が使用される。また、本発明にいうこれらの継ぎ部は、多くの場合、所定の幅を有する複数の中間層を隣接敷設する結果によつて生ずる継ぎ目がこれに相当するが、現地の状況に合わせて形成されることも多い。
【００１５】
前述した２つの防水構造のうちの前者の構造において、躯体表面に設けられる非浸透性の凹部としては、たとえば、内面に防水塗料の塗膜を形成した凹部、内面に防水シートを貼り付けた凹部、あるいは縁部を第２の防水シートで水密的に覆われた状態で凹部内に装着されたプラスティックス容器等が考えられ、さらには、有底の筒状体の下端部を躯体の凹部内に装着することによって非浸透性の凹部とすることも可能である。
【００１６】
また、後者の防水構造において、筒状体の少なくとも下端部に形成する透明構成としては、底部のみでもよく、あるいは筒状体全体としてもよい。なお、これら前後者２つの防水構造において、区画された各ゾーンに設定する面積としては、できるだけ小さくすることが好ましく、たとえば、１０００ｍ２の全面積に対して４０ｍ２程度に設定すべきである。
【００１７】
本発明による屋上防水構造は、緑化型防水および断熱防水のいずれにも適用可能であり、これらのうち、前者への適用の場合には、当然、防水層上に土が盛られこととなる。また、防水層の躯体に対する固定の仕方としては、前者の場合、盛り土の重量に依存する形式が普通であり、一方、後者の場合には、アンカーの打ち込み形式が好適となる。
【００１８】
【発明の実施の形態】
次に、本発明による屋上防水構造を緑化型屋上防水に適用したときの実施の形態を説明する。
図１の（ａ）は、防水施工した屋上を平面より模擬的に見たもので、ａ、ｂ、ｃ・・・は、本発明にいう区画された複数のゾーン、Ａは屋上の傾斜方向、１は各ゾーンａ、ｂ、ｃ・・・のそれぞれの傾斜下端部に設置された筒状体を示す。
【００１９】
図１の（ｂ）は、図１の（ａ）のＢ−Ｂ断面を示し、２は屋上の躯体、３は躯体２上に敷設された防水層を示し、ポリ塩化ビニルの第１の防水シート４、発泡ポリエチレンの中間層５、およびポリ塩化ビニルの第２の防水シート６の積層体によって構成されている。
【００２０】
防水シート４、６および中間層５は、非接着の状態で互いに重ね合わされており、さらに、防水シート４と６は、中間層５の有する継ぎ部７に介装されたポリ塩化ビニルのシート片８に部分９と１０においてそれぞれ熱融着され、これにより、水密的に区画された図１の複数のゾーンａ、ｂ、ｃ・・・を形成している。
【００２１】
１１は躯体２に形成された凹部を示し、その表面には、躯体２が有する浸透性をなくすためにポリ塩化ビニルのシート１２が貼り付けられている。１３は凹部１１より防水層３を貫通して設置された筒状体１と第２の防水シート６との間を接続したポリ塩化ビニル製のシール材を示し、一端の側をバンド１４で筒状体１に緊縛される一方、他端の側を部分１５で第２の防水シート６に熱融着され、これによって、筒状体１と第２の防水シート６の間の水密性を確保している。
【００２２】
なお、第１および第２の防水シート４、６間のラップ部１６、およびシート１２と第１の防水シート４間のラップ部１７も熱融着によって一体化されていることはいうまでもない。１８は筒状体１の下端に形成された切欠部を示し、第１の防水シート４および中間層５の間と筒状体１の内部とを連通させている。１９は筒状体１の上端に着脱自在に装着された雨除けのキャップ、２０は防水層３上に載せられた盛り土（樹木等は省略）を示す。
【００２３】
以上のように構成される屋上防水構造によれば、第１および第２の防水シート４と６を中間層５の継ぎ部７で接続することによって複数のゾーンａ、ｂ、ｃ・・・を水密的に区画形成し、さらに、躯体２の非浸透性の凹部１１より防水層３を貫通して形成され、かつ内部を第１の防水シート４と中間層５の間に連通させた筒状体１を、ゾーンａ、ｂ、ｃ・・・の傾斜下端部のそれぞれに設置した構成としているため、この筒状体１より凹部１１内を観察することで、防水異常の発生個所を容易に特定することができる。
【００２４】
即ち、防水層３が損傷された場合、第１の防水層４と中間層５の間に侵入した雨水は、躯体２に浸透することなく傾斜下端部に設けられた凹部１１内に確実に集まることとなり、従って、これによる溜水２１の存在を確認できれば、ゾーンａ、ｂ、ｃ・・・のどのゾーンに防水異常が発生したかを直ちに特定することができる。
【００２５】
そして、以後の盛り土２０の除去および防水層３の剥離等の処置は、全面積が対象ではなく、ゾーンａ、ｂ、ｃ・・・のうちの特定されたゾーンのみを対象として行われるため、処置の範囲と費用は、当然、最小限にとどめられることとなる。なお、溜水２１の有無を確認することは、メンテナンスにもつながることであり、従って、これを定期的に行うことは有意義となる。
【００２６】
図２は、本発明による他の屋上防水構造を緑化型屋上防水に適用したときの実施の形態を示す。
図１の（ａ）と同じ構成に基づくとともに、図１の（ｂ）と同じ符号は同じ部分を示す図２において、全体を透明に構成された筒状体２２は、第２の防水シート６により覆われた鍔部２３を上部に有し、この鍔部２３を中間層５に係止させた状態で下方に伸びている。
【００２７】
また、この筒状体２２の下端部２４は、躯体２の下方に位置する部屋２５内に露出させられており、さらに、その上部位置の側面は、ポリ塩化ビニルより構成されるシール材２６を介して第１の防水シート４に水密的に接続されている。
【００２８】
２７はこの水密接続における第１の防水シート４とシール材２６間の熱融着部、２８はシール材２６と筒状体２２間の接着剤使用による接着部を示す。２９は筒状体２２に設けられた貫通孔を示し、第１の防水シート４と中間層５の間と筒状体２２の内部とを連通させている。
【００２９】
以上のように構成される屋上防水構造によれば、防水層３に防水異常が発生したとすると、筒状体２２の下端部２４には、侵入した雨水が集まることとなり、従って、これによる溜水２１の発生を下端部２４を透して視認すれば、防水異常の発生を容易に確認することができる。そして、図２の場合と同じく、異常の発生個所をゾーンａ、ｂ、ｃ・・・のうちのいずれかに特定することができるため、最小限の負担のもとに爾後の処置を行うことが可能となる。
【００３０】
【発明の効果】
以上説明したように、本発明による屋上防水構造によれば、中間層の上下に位置する第１および第２の防水シートを中間層の継ぎ部で接続することによって複数のゾーンを水密的に区画して形成し、さらに、内部を第１の防水シートと中間層の間に連通させた筒状体を、躯体表面の非浸透性の凹部より防水層を貫通した状態で各ゾーンの傾斜下端部に設置した構成とするか、あるいは内部を第１の防水シートと中間層の間に連通させた筒状体の透明な下端部を、区画された各ゾーンの傾斜下端部の躯体下の室内に露出させた構成としているため、躯体の凹部あるいは透明下端部に生じた溜水の確認によって異常発生個所をいずれかのゾーンに特定することができ、従って、防水層剥離や盛り土除去等の処置を最小限にとどめることができる。
【図面の簡単な説明】
【図１】本発明による屋上防水構造を緑化型屋上防水に適用したときの実施の形態を示す説明図であり、（ａ）は平面図、（ｂ）は（ａ）のＢ−Ｂ断面図を示す。
【図２】本発明による他の屋上防水構造を緑化型屋上防水に適用したときの実施の形態を示す説明図。
【図３】従来の緑化型屋上防水構造を示す説明図。
【符号の説明】
１、２２　　　　筒状体
２　　　　躯体
３　　　　防水層
４　　　　第１の防水層
５　　　　中間層
６　　　　第２の防水層
７　　　　継ぎ部
８　　　　シート片
１１　　　　凹部
１２　　　　シート
１３、２６　　　　シール材
１８　　　　切欠部
１９　　　　キャップ
２０　　　　盛り土
２１　　　　溜水
２４　　　　下端部
２５　　　　部屋
２９　　　　貫通孔
【図１】
2004027598.tif 000003
【図２】
2004027598.tif 000004
【図３】
2004027598.tif 000005